Podtech/llm-jp-corpus-v4-ja_patent huggingface dataset:
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
結着樹脂、着色剤、水溶性ジルコニウム化合物を含有し、
トナーを構成する全元素に対して、ジルコニウム元素を０．０１〜０．５ａｔｏｍｉｃ％含有することを特徴とする静電荷像現像用トナー。
【請求項２】
請求項１に記載の静電荷像現像用トナーであって、
前記結着樹脂は、結晶性樹脂を含有することを特徴とする静電荷像現像用トナー。
【請求項３】
結着樹脂、着色剤を含有する静電荷像現像用トナーの製造方法であって、
結着樹脂粒子分散液と、着色剤粒子分散液と、架橋剤とを撹拌混合し、前記結着樹脂粒子と前記着色剤粒子を含有する凝集粒子分散液を調製する工程と、
前記結着樹脂の融点以上の温度に加熱して前記凝集粒子を一体化する工程と、
を含み、
前記架橋剤は、水溶性ジルコニウム化合物であることを特徴とする静電荷像現像用トナーの製造方法。
【請求項４】
請求項１または２に記載の静電荷像現像用トナーを含有することを特徴とする静電荷像現像剤。
【請求項５】
潜像保持体表面に静電潜像を形成する潜像形成工程と、現像剤担持体に担持された現像剤を用い、前記潜像保持体表面に形成された静電潜像を現像してトナー画像を形成する現像工程と、前記潜像保持体表面に形成されたトナー画像を被転写体表面に転写する転写工程と、前記被転写体表面に転写されたトナー画像を定着する定着工程と、を含む画像形成方法であって、
前記現像剤は、請求項４に記載の静電荷像現像剤であることを特徴とする画像形成方法。
【手続補正２】
【補正対象書類名】明細書
【補正対象項目名】００２１
【補正方法】変更
【補正の内容】
【００２１】
本発明は、結着樹脂、着色剤、水溶性ジルコニウム化合物を含有し、トナーを構成する全元素に対して、ジルコニウム元素を０．０１〜０．５ａｔｏｍｉｃ％含有する静電荷像現像用トナーである。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】変更
【補正の内容】
【００２４】
また、本発明は、結着樹脂、着色剤を含有する静電荷像現像用トナーの製造方法であって、結着樹脂粒子分散液と、着色剤粒子分散液と、架橋剤とを撹拌混合し、前記結着樹脂粒子と前記着色剤粒子を含有する凝集粒子分散液を調製する工程と、前記結着樹脂の融点以上の温度に加熱して前記凝集粒子を一体化する工程と、を含み、前記架橋剤は、水溶性ジルコニウム化合物である。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
回転可能な像担持体の画像形成領域に形成された現像剤像を記録媒体へ転写する転写手段と、
前記像担持体と接触し、所定電圧または電流が印加されて、前記画像形成領域の現像剤を除去する第１クリーニング手段と、
前記像担持体に接触離間可能で、前記画像形成領域の前記現像剤を、クリーニング位置にて除去する第２クリーニング手段とを有する画像形成装置において、
前記第１クリーニング手段により前記現像剤の除去が行われた前画像形成領域の前記像担持体移動方向における先端部から後端部が前記クリーニング位置を通過する間、前記第２クリーニング手段は前記像担持体に接触し、
前記第１クリーニング手段への前記所定電圧または電流の印加が停止された時に前記第１クリーニング手段と接触する前記像担持体の領域が、前記クリーニング位置に達する時、前記第２クリーニング手段と前記像担持体は離間していることを特徴とする画像形成装置。
【請求項２】
前記第２クリーニング手段の前記像担持体からの離間は、前記第１クリーニング手段への前記所定電圧または電流の印加を停止すると同時に行うことを特徴とする請求項１記載の画像形成装置。
【請求項３】
前記第２クリーニング手段は、ウェブ部材を前記像担持体に当接させてクリーニングすることを特徴とする請求項１又は請求項２に記載の画像形成装置。
【請求項４】
前記第１クリーニング手段は、所定の極性のバイアスを印加する上流側クリーニング部と、前記上流側クリーニング部よりも前記像担持体回転方向下流側に配置され前記上流側クリーニング部と逆極性のバイアスを印加する下流側クリーニング部とを有することを特徴とする請求項１乃至請求項３のいずれか１項に記載の画像形成装置。
【手続補正２】
【補正対象書類名】明細書
【補正対象項目名】０００１
【補正方法】変更
【補正の内容】
【０００１】
本発明は複写機、プリンタ、ファクシミリ等の画像形成装置に関し、さらに詳しくは像担持体を有する画像形成装置における該像担持体のクリーニングを的確に行うことが可能な画像形成装置に関する。
【手続補正３】
【補正対象書類名】明細書
【補正対象項目名】００１１
【補正方法】変更
【補正の内容】
【００１１】
上記課題を解決するための本発明における代表的な手段は、回転可能な像担持体の画像形成領域に形成された現像剤像を記録媒体へ転写する転写手段と、前記像担持体と接触し、所定電圧または電流が印加されて、前記画像形成領域の現像剤を除去する第１クリーニング手段と、前記像担持体に接触離間可能で、前記画像形成領域の前記現像剤を、クリーニング位置にて除去する第２クリーニング手段とを有する画像形成装置において、前記第１クリーニング手段により前記現像剤の除去が行われた前画像形成領域の前記像担持体移動方向における先端部から後端部が前記クリーニング位置を通過する間、前記第２クリーニング手段は前記像担持体に接触し、前記第１クリーニング手段への前記所定電圧または電流の印加が停止された時に前記第１クリーニング手段と接触する前記像担持体の領域が、前記クリーニング位置に達する時、前記第２クリーニング手段と前記像担持体は離間していることを特徴とする。
【手続補正４】
【補正対象書類名】明細書
【補正対象項目名】００１２
【補正方法】変更
【補正の内容】
【００１２】
本発明は第１クリーニング手段へのバイアスを切ったときに、第１クリーニング手段と接触していた部分が第２クリーニング手段との当接部に至る前に第２クリーニング手段を像担持体から離間させる。これにより、第２クリーニング手段に過剰なトナーや外添剤等の付着物が堆積することがなくなる。そのため、像担持体の抵抗変動を抑えることができ、良好な転写性を得ることが可能となる。
【手続補正５】
【補正対象書類名】明細書
【補正対象項目名】００１８
【補正方法】変更
【補正の内容】
【００１８】
ここで、画像形成動作についてイエロー画像形成部Ｐａを例示して説明する。回転する感光体ドラム101ａの表面を帯電ローラ122ａへのバイアス印加によって一様に帯電させ、これに露光手段111ａから画信号に応じた光照射を行うことで静電潜像を形成する。その潜像を現像手段123ａによりイエロートナーで現像して可視像化する。現像手段123ａにおいて、トナーは負極性に帯電される。そして、そのトナー像を感光体ドラム101ａと中間転写ベルト181との当接部である一次転写部Ｔ1において、一次転写ローラ124ａへトナー像と逆極性（正極性）のバイアス印加することで中間転写ベルト181に一次転写する。更にトナー像転写後に感光体ドラム101ａに残留したトナーはドラムクリーニング手段112ａによって除去される。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
１または複数のクライアントと接続する接続手段と、
コンテンツを蓄積するコンテンツ蓄積部と、
該コンテンツ蓄積部が蓄積するコンテンツのコンテンツ情報と複数の外部メディアが蓄積するコンテンツのコンテンツ情報とが登録され、該各コンテンツ情報には該コンテンツが蓄積されているメディアを識別するメディア識別情報が含まれているグローバルリストを蓄積するためのグローバルリスト蓄積部と、
該クライアントに挿入されている外部メディアのメディア識別情報を含むクライアント特定情報を、該クライアントから受信してクライアントリストに登録するクライアント特定情報登録手段と、
該クライアントへ送信するコンテンツリストを作成するコンテンツリスト作成手段と、
該コンテンツリストをクライアントに送信するコンテンツリスト送信手段とを備え；
該クライアント特定情報登録手段が、接続した該クライアントからクライアント特定情報を受信してクライアントリストに登録し、
該コンテンツリスト作成手段が、該グローバルリストに含まれるコンテンツ情報の中から、該クライアントから受信したクライアント特定情報に含まれるメディア識別情報と一致するメディア識別情報を有するコンテンツ情報と該コンテンツ蓄積部が蓄積するコンテンツのコンテンツ情報とを含むコンテンツリストを作成し、
該コンテンツリスト送信手段が、作成した該コンテンツリストを該クライアントに送信する、サーバ。
【請求項２】
前記外部メディアが挿入されて、該外部メディアからデータを読み取る外部メディア読取手段と、
該外部メディアを識別するための前記メディア識別情報を生成するメディア識別情報生成手段と、
該外部メディアが蓄積するコンテンツの位置情報およびメタ情報を取得し、該メディア識別情報、該位置情報および該メタ情報を含むコンテンツ情報を前記グローバルリストに登録するリスト登録手段とをさらに備え；
該外部メディア読取手段に該外部メディアが挿入された場合、該メディア識別情報生成手段が該メディア識別情報を生成し、該リスト登録手段が該コンテンツ情報を該グローバルリストに登録する、請求項１に記載のサーバ。
【請求項３】
該クライアントから受信したクライアント特定情報に含まれるメディア識別情報と一致するメディア識別情報を有するコンテンツ情報が該グローバルリストに登録されていない場合、
前記リスト登録手段が、前記クライアントに挿入された外部メディアが蓄積するコンテンツのコンテンツ情報を含むコンテンツリストを、該クライアントから受信して前記グローバルリストに登録する、請求項２に記載のサーバ。
【請求項４】
前記メディア識別情報生成手段が、
前記外部メディアの種別を検出し、該外部メディアの種別に応じて該外部メディアからメディアを識別するための基本情報を取得し、ハッシュ値に変換した該基本情報を前記メディア識別情報とする、請求項２又は３に記載のサーバ。
【請求項５】
サーバが蓄積するコンテンツのコンテンツ情報と複数の外部メディアが蓄積するコンテンツのコンテンツ情報とが登録され、該各コンテンツ情報には該コンテンツが蓄積されているメディアを識別するメディア識別情報が含まれているグローバルリストを有する１または複数のサーバと接続する接続手段と、
外部メディアが挿入されて、該外部メディアからデータを読み取る外部メディア読取手段と、
該外部メディアを識別するためのメディア識別情報を生成するメディア識別情報生成手段と、
該外部メディア読取手段に挿入された外部メディアのメディア識別情報を含むクライアント特定情報をサーバに送信するクライアント特定情報送信手段と、
コンテンツリストをサーバから受信するコンテンツリスト受信手段と、
コンテンツ選択メニューを表示する表示手段とを備え；
外部メディアが外部メディア読取手段に挿入された場合、
該メディア識別情報生成手段が、該外部メディアのメディア識別情報を生成し、
該クライアント特定情報送信手段が、該メディア識別情報を含む該クライアント特定情報をサーバに送信し、
該メディア識別情報と一致する該外部メディアが蓄積するコンテンツのコンテンツ情報と該サーバが蓄積するコンテンツのコンテンツ情報とを含むコンテンツリストを該サーバから受信し、
該表示手段が、該受信したコンテンツリストに基づいて、コンテンツ選択メニューを表示する、クライアント。
【請求項６】
前記メディア識別情報生成手段が、
前記外部メディアの種別を検出し、該外部メディアの種別に応じて該外部メディアからメディアを識別するための基本情報を取得し、ハッシュ値に変換した該基本情報を前記メディア識別情報とする、請求項５に記載のクライアント。
【請求項７】
前記サーバへ送信したクライアント特定情報に含まれるメディア識別情報と一致するメディア識別情報を有するコンテンツ情報が、前記サーバが有する前記グローバルリストに登録されていない場合、
該外部メディアが蓄積するコンテンツのコンテンツ情報を含むコンテンツリストを該外部メディアから取得または作成し、該コンテンツリストを該サーバへ送信する、請求項５又は６に記載のクライアント。
【請求項８】
サーバが蓄積するコンテンツのコンテンツ情報と複数の外部メディアが蓄積するコンテンツのコンテンツ情報とが登録され、該各コンテンツ情報には該コンテンツが蓄積されているメディアを識別するメディア識別情報が含まれているグローバルリストを有するサーバにおいて、クライアントでコンテンツ選択メニューを表示するためのコンテンツリストを該グローバルリストを基に作成してクライアントに送信するためのサーバプログラムであって；
該クライアントと接続するステップと、
該クライアントに挿入されている外部メディアのメディア識別情報を含むクライアント特定情報を、該クライアントから受信してクライアントリストに登録するステップと、
該グローバルリストに含まれるコンテンツ情報の中から、該クライアントから受信したクライアント特定情報に含まれるメディア識別情報と一致するメディア識別情報を有するコンテンツ情報と該サーバが蓄積するコンテンツのコンテンツ情報とを含むコンテンツリストを作成するステップと、
作成した該コンテンツリストを該クライアントに送信するステップとを含む、サーバプログラム。
【請求項９】
外部メディアが挿入されて、該外部メディアからデータを読み取る外部メディア読取手段を有するクライアントにおいて、サーバから受信するコンテンツリストを基にコンテンツ選択メニューを表示するためのクライアントプログラムであって、
１または複数のサーバと接続するステップと、
外部メディアが外部メディア読取手段に挿入された場合、該外部メディアを識別するためのメディア識別情報を生成するステップと、
該メディア識別情報を含むクライアント特定情報を該サーバに送信するステップと、
該メディア識別情報と一致するメディア識別情報を有するコンテンツ情報と該サーバが蓄積するコンテンツのコンテンツ情報とを含むコンテンツリストを該サーバから受信するステップと、
受信した該コンテンツリストに基づいて、コンテンツ選択メニューを表示するステップとを含む、クライアントプログラム。
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
画像形成装置と、当該画像形成装置と接続し、当該画像形成装置に対して記録媒体を供給する給紙装置と、を有する画像形成システムであって、
前記画像形成装置及び前記給紙装置を制御する制御手段は、
入力された情報に基づき前記画像形成装置に処理を実行させるために、前記給紙装置から供給される記録媒体が給紙済みか、給紙待機状態かを判定する給紙判定手段と、
入力された中断要求に従い、前記給紙済みまたは待機状態にある記録媒体の搬送を制御する給紙制御手段と
を備えることを特徴とする画像形成システム。
【請求項２】
前記給紙判定手段は、（ｍ部数目、ｎページ：ｍ、ｎは自然数）に対応する記録媒体までが、前記判定により給紙済みとなっている場合、
待機状態にある、前記ｎページの後ろの配置されるべき、（ｍ部数目、ｎ＋１ページ：ｍ、ｎは自然数）以降に対応する記録媒体の給紙をキャンセルすることを特徴とする請求項１に記載の画像形成システム。
【請求項３】
前記給紙判定手段は、（ｍ部数目、ｎページ：ｍ、ｎは自然数）に対応する記録媒体までが、前記判定により給紙済みとなっている場合、
待機状態にある、前記ｍ部数目より後ろの配置されるべき、（ｍ＋１：ｍは自然数）部数以降の全てのページに対応する記録媒体の給紙をキャンセルすることを特徴とする請求項１または２に記載の画像形成システム。
【請求項４】
前記給紙判定手段は、（ｍ部数目、ｎページ：ｍ、ｎは自然数）に対応する記録媒体までが、前記判定により給紙済みとなっている場合、
前記給紙制御手段は、待機状態にある、（ｍ部数目、ｎページ）よりも前に配置されるべき、部数及びページに対応する記録媒体を、継続給紙の対象として、搬送を制御することを特徴とする請求項１乃至３のいずれか１項に記載の画像形成システム。
【請求項５】
入力された中断要求が、前記画像形成装置における処理の再開が必要な中断要求か、当該再開が不要な中断要求かを判定する中断要求判定手段と、
前記中断要求判定手段により前記処理の再開が必要な中断要求と判定された場合、前記給紙装置に対して給紙の再開を要求する給紙再開手段と、を更に備えることを特徴とする請求項１乃至４のいずれか１項に記載の画像形成システム。
【請求項６】
前記判定手段の判定により、前記画像形成装置による処理を再開する場合、前記給紙再開手段は、中断された（ｍ部数目、ｎページ：ｍ、ｎは自然数）の後ろの配置されるべき（ｍ部数目、ｎ＋１ページ：ｍ、ｎは自然数）以降に対応する記録媒体の給紙を、前記給紙装置に対して要求することを特徴とする請求項５に記載の画像形成システム。
【請求項７】
前記給紙再開手段は、中断された前記（ｍ部数目、ｎページ：ｍ、ｎは自然数）の後ろの配置されるべき、（ｍ＋１：ｍは自然数）部数以降の全てのページに対応する記録媒体の給紙を、前記給紙装置に対して要求することを特徴とする請求項６に記載の画像形成システム。
【請求項８】
画像形成システムを構成する画像形成装置と、当該画像形成装置と接続し、当該画像形成装置に対して記録媒体を供給する給紙装置と、を制御する画像形成システムの制御方法は、
入力された情報に基づき前記画像形成装置に処理を実行させるために、前記給紙装置から供給される記録媒体が給紙済みか、給紙待機状態かを判定する給紙判定工程と、
入力された中断要求に従い、前記給紙済みまたは待機状態にある記録媒体の搬送を制御する給紙制御工程と
を有することを特徴とする画像形成システムの制御方法。
【請求項９】
請求項８に記載の画像形成システムの制御方法をコンピュータに実行させることを特徴とするプログラム。
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
交換された部品に関して、必要とされる調整の処理項目の実行順を表示手段に表示することが可能な画像形成装置であって、
交換された部品を検索するための検索手段と、
予め定められた、部品の交換により必要とされる調整の処理項目と、当該処理項目の優先順位の情報と、の関係に基づいて、前記検索手段により検索された複数種の部品に関して必要とされる前記処理項目の実行順を決定する決定手段と、
前記決定手段により決定された前記実行順を前記表示手段に表示させる表示制御手段と、
を備えることを特徴とする画像形成装置。
【請求項２】
各部品に関して必要とされる調整の処理項目と、当該処理項目の優先順位に関する情報と、を記憶する記憶手段を更に備えることを特徴とする請求項１に記載の画像形成装置。
【請求項３】
前記決定手段は、前記記憶手段に記憶されている優先順位の情報に基づき、前記複数種の部品に関して必要とされる調整の処理項目の実行順を並び替えることを特徴とする請求項２に記載の画像形成装置。
【請求項４】
前記決定手段は、前記記憶手段に記憶されている処理項目の情報に基づき、前記複数種の部品において必要とされる調整の処理項目を比較して、重複する処理項目を、当該複数種の部品間で共通する一つの処理項目とすることを特徴とする請求項２に記載の画像形成装置。
【請求項５】
前記決定手段は、前記記憶手段に記憶されている優先順位の情報に基づき、前記共通する一つの処理項目の実行順を決定することを特徴とする請求項４に記載の画像形成装置。
【請求項６】
前記処理項目と、当該処理項目の優先順位に関する情報が変更された場合、
前記決定手段は、前記変更に従い前記検索手段により検索された複数種の部品に関して必要とされる調整の処理項目の実行順を決定することを特徴とする請求項１に記載の画像形成装置。
【請求項７】
交換された部品に関して、必要とされる調整の処理項目の実行順を表示手段に表示することが可能な画像形成装置の制御方法であって、
交換された部品を検索する検索工程と、
予め定められた、部品の交換により必要とされる調整の処理項目と、当該処理項目の優先順位の情報と、の関係に基づいて、前記検索工程で検索された複数種の部品に関して必要とされる前記処理項目の実行順を決定する決定工程と、
前記決定工程により決定された前記実行順を前記表示手段に表示させる表示制御工程と、
を有することを特徴とする画像形成装置の制御方法。
【請求項８】
請求項７に記載の画像形成装置の制御方法をコンピュータに実行させることを特徴とするプログラム。
【手続補正２】
【補正対象書類名】明細書
【補正対象項目名】００１６
【補正方法】変更
【補正の内容】
【００１６】
すなわち、本発明にかかる画像形成装置は、交換された部品に関して、必要とされる調整の処理項目の実行順を表示手段に表示することが可能な画像形成装置であって、
交換された部品を検索するための検索手段と、
予め定められた、部品の交換により必要とされる調整の処理項目と、当該処理項目の優先順位の情報と、の関係に基づいて、前記検索手段により検索された複数種の部品に関して必要とされる前記処理項目の実行順を決定する決定手段と、
前記決定手段により決定された前記実行順を前記表示手段に表示させる表示制御手段と、を備えることを特徴とする。
【手続補正３】
【補正対象書類名】明細書
【補正対象項目名】００１７
【補正方法】変更
【補正の内容】
【００１７】
好ましくは、上記の画像形成装置において、各部品に関して必要とされる調整の処理項目と、当該処理項目の優先順位に関する情報と、を記憶する記憶手段を更に備えることを特徴とする。
【手続補正４】
【補正対象書類名】明細書
【補正対象項目名】００１８
【補正方法】変更
【補正の内容】
【００１８】
好ましくは、上記の画像形成装置において、前記決定手段は、前記記憶手段に記憶されている優先順位の情報に基づき、前記複数種の部品に関して必要とされる調整の処理項目の実行順を並び替えることを特徴とする。
【手続補正５】
【補正対象書類名】明細書
【補正対象項目名】００１９
【補正方法】変更
【補正の内容】
【００１９】
好ましくは、上記の画像形成装置において、前記決定手段は、前記記憶手段に記憶されている処理項目の情報に基づき、前記複数種の部品において必要とされる調整の処理項目を比較して、重複する処理項目を、当該複数種の部品間で共通する一つの処理項目とすることを特徴とする。
【手続補正６】
【補正対象書類名】明細書
【補正対象項目名】００２０
【補正方法】変更
【補正の内容】
【００２０】
好ましくは、上記の画像形成装置において、前記決定手段は、前記記憶手段に記憶されている優先順位の情報に基づき、前記共通する一つの処理項目の実行順を決定する。
【手続補正７】
【補正対象書類名】明細書
【補正対象項目名】００２１
【補正方法】変更
【補正の内容】
【００２１】
好ましくは、上記の画像形成装置において、前記処理項目と、当該処理項目の優先順位に関する情報が変更された場合、
前記決定手段は、前記変更に従い前記検索手段により検索された複数種の部品に関して必要とされる調整の処理項目の実行順を決定することを特徴とする。
【手続補正書】
【提出日】平成20年8月11日(2008.8.11)
【手続補正１】
【補正対象書類名】特許請求の範囲
【補正対象項目名】請求項７
【補正方法】変更
【補正の内容】
【請求項７】
前記記憶制御装置は固有の記憶領域を備えており、
前記制御部は、前記固有の記憶領域に所定サイズ以上の未使用記憶領域が存在しない場合に、前記他の記憶制御装置の有する記憶領域に対応付けて前記第３ボリュームを生成させる請求項１に記載のストレージシステム。
【手続補正２】
【補正対象書類名】明細書
【補正対象項目名】００２０
【補正方法】変更
【補正の内容】
【００２０】
本発明の実施形態では、記憶制御装置は固有の記憶領域を備えており、制御部は、固有の記憶領域に所定サイズ以上の未使用記憶領域が存在しない場合に、他の記憶制御装置の有する記憶領域に対応付けて第３ボリュームを生成させる。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
原稿領域を抽出する画像処理装置において、
原稿を読み取る読取手段と；
上記読取手段が取得した画像データを２値化する２値化手段と；
上記２値化手段が２値化した画像データの黒画素であって、連続している黒画素毎にラベル番号を付与するラベリング手段と；
上記ラベル番号が付与されている黒画素について、そのラベル番号毎の画素数が規定値以下である画素を、ノイズであると判断し、処理対象から除外するノイズ除去手段と；
上記ノイズ除去手段がノイズ除去した後に残っている黒画素の全てに互いに同一のラベル番号を付与する付与手段と；
ラベル付けされている黒画素の座標を取得する取得手段と；
上記取得手段が取得した座標に基づいて、原稿領域を抽出する抽出手段と；
を有することを特徴とする画像処理装置。
【請求項２】
請求項１において、
上記取得手段が取得した座標は、原点から最も近い位置にあるラベル付けされている黒画素と、原点から最も遠い位置にあるラベル付けされている黒画素との２点の座標であり、
上記抽出手段は、上記取得手段が取得した上記２点の座標を含む矩形領域が、原稿領域であるとして抽出する手段であることを特徴とする画像処理装置。
【請求項３】
請求項１において、
上記取得手段が取得した座標は、原点の座標と、原点から最も遠い位置にあるラベル付けされている黒画素の座標とであり、
上記抽出手段は、上記取得手段が取得した１点の座標と原点とを含む矩形領域を、原稿領域として抽出する手段であることを特徴とする画像処理装置。
【請求項４】
請求項１において、
上記取得手段が取得した座標は、ラベル付けされている全ての黒画素の座標から、縦軸方向および縦軸方向の最小値を抽出した値を持つ点と、縦軸方向および縦軸方向の最大値を抽出した値を持つ点との２点の座標であり、
上記抽出手段は、上記取得手段が取得した２点の座標を含む矩形領域を、原稿領域として抽出する手段であることを特徴とする画像処理装置。
【請求項５】
請求項１〜請求項４のいずれか１項において、
抽出された原稿領域サイズが、規定値以下であれば、原稿なしであると判断する判断手段を有することを特徴とする画像処理装置。
【請求項６】
請求項１〜請求項５のいずれか１項において、
上記判断手段が原稿なしと判断した場合、処理を中断し、その旨をオペレータに警告する警告手段を有することを特徴とする画像処理装置。
【請求項７】
原稿領域を抽出する画像処理装置の制御方法において、
原稿を読み取る読取工程と；
上記読取工程で取得した画像データを２値化する２値化工程と；
上記２値化工程で２値化した画像データの黒画素であって、連続している黒画素毎にラベル番号を付与するラベリング工程と；
上記ラベル番号が付与されている黒画素について、そのラベル番号毎の画素数が規定値以下である画素を、ノイズであると判断し、処理対象から除外するノイズ除去工程と；
上記ノイズ除去工程でノイズ除去した後に残っている黒画素の全てに互いに同一のラベル番号を付与する付与工程と；
ラベル付けされている黒画素の座標を取得する取得工程と；
上記取得工程で取得された座標に基づいて、原稿領域を抽出する抽出工程と；
を有することを特徴とする画像処理装置の制御方法。
【手続補正２】
【補正対象書類名】明細書
【補正対象項目名】０００７
【補正方法】変更
【補正の内容】
【０００７】
本発明は、原稿領域を抽出する画像処理装置において、原稿を読み取る読取手段と、上記読取手段が取得した画像データを２値化する２値化手段と、上記２値化手段が２値化した画像データの黒画素であって、連続している黒画素毎にラベル番号を付与するラベリング手段と、上記ラベル番号が付与されている黒画素について、そのラベル番号毎の画素数が規定値以下である画素を、ノイズであると判断し、処理対象から除外するノイズ除去手段と、上記ノイズ除去手段がノイズ除去した後に残っている黒画素の全てに互いに同一のラベル番号を付与する付与手段と、ラベル付けされている黒画素の座標を取得する取得手段と、上記取得手段が取得した座標に基づいて、原稿領域を抽出する抽出手段とを有する画像処理装置である。
【手続補正３】
【補正対象書類名】明細書
【補正対象項目名】００２７
【補正方法】変更
【補正の内容】
【００２７】
【数２】
2007072642.tif 000001
Ｖ＝ｍａｘ（Ｒ，Ｇ，Ｂ）
ただし、上式中のｍａｘ（Ｒ，Ｇ，Ｂ）は、各要素値の中の最大値であり、ｍｉｎ（Ｒ，Ｇ，Ｂ）は、各要素値の中の最小値である。また、各データ値の値は、０〜２５５の範囲（整数値）になるように、スケール変換を行う。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
オブジェクトへのアクセスを制御する情報処理装置であって、
複数のユーザが重複してログイン可能なログイン手段と、
前記ログイン手段を介してログインした各ログインユーザがアクセス可能なオブジェクトを、該ログインユーザごとに区別して表示する表示手段と、
前記ログイン手段が複数のユーザのログインを重複して受け付けた場合、当該ログインを受け付けた複数のログインユーザの１人がアクセス可能な、前記表示手段により表示されたオブジェクトを、当該ログインを受け付けた複数のログインユーザに含まれる他のログインユーザがアクセス可能となるよう制御するアクセス制御手段と
を備えることを特徴とする情報処理装置。
【請求項２】
前記ログイン手段を介してログインした各ログインユーザがアクセス可能なオブジェクトと、該ログインユーザを特定するための識別子とを対応付けたアクセス制御リストを保持する保持手段を更に備えることを特徴とする請求項１に記載の情報処理装置。
【請求項３】
前記表示手段は、
前記ログインユーザごとに表示領域をわけて表示することを特徴とする請求項１または２に記載の情報処理装置。
【請求項４】
前記アクセス制御手段は、
前記表示手段により表示された、前記ログイン手段が受け付けた複数のログインユーザの１人の表示領域内のオブジェクトが、ユーザにより選択された場合において、該選択されたオブジェクトが、他のログインユーザの表示領域においてアクセス可能なオブジェクトであるか否かを判断することを特徴とする請求項３に記載の情報処理装置。
【請求項５】
ユーザによるログインを受け付け、該ログインを受け付けたユーザによるオブジェクトへのアクセスを制御するための情報処理装置による情報処理方法であって、
前記情報処理装置に対する複数のユーザによる重複したログインを受け付けるログイン工程と、
前記ログイン工程においてログインした各ログインユーザがアクセス可能なオブジェクトを、該ログインユーザごとに区別して表示する表示工程と、
前記ログイン工程において複数のユーザのログインを重複して受け付けた場合、当該ログインを受け付けた複数のログインユーザの１人がアクセス可能な、前記表示工程において表示されたオブジェクトを、当該ログインを受け付けた複数のログインユーザに含まれる他のログインユーザがアクセス可能となるよう制御するアクセス制御工程と
を備えることを特徴とする情報処理方法。
【請求項６】
前記ログイン工程においてログインした各ログインユーザがアクセス可能なオブジェクトと、該ログインユーザを特定するための識別子とを対応付けたアクセス制御リストを保持する保持工程を更に備えることを特徴とする請求項５に記載の情報処理方法。
【請求項７】
前記表示工程は、
前記ログインユーザごとに表示領域をわけて表示することを特徴とする請求項５または６に記載の情報処理方法。
【請求項８】
前記アクセス制御工程は、
前記表示工程において表示された、前記ログイン工程において受け付けた複数のログインユーザの１人の表示領域内のオブジェクトが、ユーザにより選択された場合において、該選択されたオブジェクトが、他のログインユーザの表示領域においてアクセス可能なオブジェクトであるか否かを判断することを特徴とする請求項７に記載の情報処理方法。
【請求項９】
請求項５乃至８のいずれか１項に記載の情報処理方法をコンピュータによって実行させるためのコンピュータ読取可能な制御プログラム。
【手続補正２】
【補正対象書類名】明細書
【補正対象項目名】００１１
【補正方法】変更
【補正の内容】
【００１１】
上記の目的を達成するために本発明に係る情報処理装置は以下のような構成を備える。即ち、
オブジェクトへのアクセスを制御する情報処理装置であって、
複数のユーザが重複してログイン可能なログイン手段と、
前記ログイン手段を介してログインした各ログインユーザがアクセス可能なオブジェクトを、該ログインユーザごとに区別して表示する表示手段と、
前記ログイン手段が複数のユーザのログインを重複して受け付けた場合、当該ログインを受け付けた複数のログインユーザの１人がアクセス可能な、前記表示手段により表示されたオブジェクトを、当該ログインを受け付けた複数のログインユーザに含まれる他のログインユーザがアクセス可能となるよう制御するアクセス制御手段とを備える。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
位置情報に基づくキーボード入力または位置入力を行うための入力装置であって、
弾力性膜状部材と、該弾力性膜状部材をユーザが入力を行う側とは反対側から撮像する撮像部と、処理部とを有し、該処理部は、前記撮像部が撮像した前記弾力性膜状部材の画像から該弾力性膜状部材の変形を検出し、該検出した変形からユーザが押下した前記弾力性膜状部材の位置を特定することを特徴とする入力装置。
【請求項２】
請求項１記載の入力装置であって、前記処理部は、記憶部に予め記憶される、位置とキーとの対応付けを参照し、前記ユーザに押下された位置に基づいてキーイベントを発生させることを特徴とする入力装置。
【請求項３】
請求項１記載の入力装置であって、前記弾力性膜状部材は該撮像部側の表面に所定のパターンを有し、前記処理部は、前記撮像された画像から前記所定のパターンの各部の変化に基づいて前記押下された位置を特定することを特徴とする入力装置。
【請求項４】
請求項１記載の入力装置であって、前記弾力性膜状部材は複数枚の膜状部材を含み、前記撮像部側の膜状部材はメッシュ状に加工されたものであり、前記処理部は、前記弾力性膜状部材が押下されて前記複数枚の膜状部材が近接することにより生ずる前記撮像された画像中の明度の変化に基づいて、前記押下された位置を特定することを特徴とする入力装置。
【請求項５】
位置情報に基づくキーボード入力に用いる入力装置の設定方法であって、該入力装置は、弾力性膜状部材と、該弾力性膜状部材が押下された位置を特定するセンサ部と、該弾力性膜状部材上の位置とキーとの対応関係を記憶するための記憶部と、処理部とを有し、
該設定方法は、特定のキーをユーザに通知するステップと、該通知に応答して押下された前記弾力性膜状部材の位置を前記センサ部および処理部を用いて特定するステップと、該特定のキーと前記位置との対応関係を前記記憶部に記憶するステップとを有することを特徴とする入力装置の設定方法。
【請求項６】
請求項５記載の入力装置の設定方法であって、前記センサ部は撮像装置であり、前記弾力性膜状部材は該センサ部側の表面に所定のパターンを有し、前記処理部は、前記撮像された画像から前記所定のパターンの各部の変化に基づいて前記押下された位置を特定することを特徴とする入力装置の設定方法。
【請求項７】
請求項５記載の入力装置の設定方法であって、前記センサ部は撮像装置であり、前記弾力性膜状部材は複数枚の膜状部材を含み、前記センサ部側の膜状部材はメッシュ状に加工されたものであり、前記処理部は、前記弾力性膜状部材が押下されて前記複数枚の膜状部材が近接することにより生ずる前記撮像された画像中の明度の変化に基づいて、前記押下された位置を特定することを特徴とする入力装置の設定方法。
【請求項８】
請求項５記載の入力装置の設定方法であって、前記センサ部は、複数の赤外線センサを枠の内側を走査するように具備したものであり、前記弾力性膜状部材は該センサ部の枠のユーザ側に設置され、前記処理部は、前記複数の赤外線センサのいずれが遮断されたかの情報を元に押下された前記弾力性膜状部材の位置を特定することを特徴とする入力装置の設定方法。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
画像信号に基づく潜像が表面に形成される感光体と、放電によって前記感光体の表面を帯電する帯電手段と、前記感光体上に前記潜像を形成するために、前記帯電手段で帯電された感光体の表面に対して露光を行う露光手段とを備え、スタンバイモードと該スタンバイモードより消費電力が小さい省エネルギーモードの少なくとも２つの待機モードを有する画像形成装置において、
前記感光体を温める発熱手段と、
前記感光体と前記帯電手段との間を遮蔽するための遮蔽部材と、
前記帯電手段と前記感光体との間を遮蔽する遮蔽位置、及び前記帯電手段と前記感光体との間を開放する退避位置に、前記遮蔽部材を移動する移動手段と、
前記省エネルギーモードのときには、前記発熱手段をオフすると共に前記遮蔽部材が前記遮蔽位置に移動するように、前記発熱手段及び前記移動手段を制御する制御手段とを備えたことを特徴とする画像形成装置。
【請求項２】
前記遮蔽部材は、前記帯電手段の放電により生成された放電生成物を分解する光触媒物質を有する構成とし、
さらに、前記光触媒物質を励起させる波長成分を有する光を前記遮蔽部材に対して照射する光照射手段と、
前記遮蔽部材が退避位置にあるときに前記光照射手段により前記遮蔽部材に光を照射する光照射制御手段とを備えたことを特徴とする請求項１に記載の画像形成装置。
【請求項３】
前記光照射制御手段は、前記光照射手段を所定時間にわたって動作状態にした後に停止するように制御することを特徴とする請求項２に記載の画像形成装置。
【請求項４】
前記遮蔽部材は、前記帯電手段の放電により生成された放電生成物を分解するための触媒物質として、送風を受けて励起する触媒物質を有する構成とし、
さらに、前記触媒物質を励起させる風を前記遮蔽部材に対して当てる送風手段と、
前記遮蔽部材が退避位置にあるときに前記送風手段により前記遮蔽部材に風を当てる送風制御手段とを備えたことを特徴とする請求項１に記載の画像形成装置。
【請求項５】
前記送風制御手段は、前記送風手段を所定時間にわたって動作状態にした後に停止するように制御することを特徴とする請求項４に記載の画像形成装置。
【請求項６】
前記移動手段は、当該画像形成装置の電源がオンになったときに、前記遮蔽部材を前記退避位置に移動することを特徴とする請求項１乃至５のいずれかに記載の画像形成装置。
【請求項７】
画像信号に基づく潜像が表面に形成される感光体と、放電によって前記感光体の表面を帯電する帯電手段と、前記感光体上に前記潜像を形成するために、前記帯電手段で帯電された感光体の表面に対して露光を行う露光手段とを備え、スタンバイモードと該スタンバイモードより消費電力が小さい省エネルギーモードの少なくとも２つの待機モードを有する画像形成装置の画像形成方法であって、
前記感光体を温める発熱手段と、前記感光体と前記帯電手段との間を遮蔽するための遮蔽部材と、前記帯電手段と前記感光体との間を遮蔽する遮蔽位置及び前記帯電手段と前記感光体との間を開放する退避位置に、前記遮蔽部材を移動する移動手段とを予め設けておき、
前記省エネルギーモードのときには、前記発熱手段をオフすると共に前記遮蔽部材が前記遮蔽位置に移動するように、前記発熱手段及び前記移動手段を制御することを特徴とする画像形成装置の画像形成方法。
【手続補正２】
【補正対象書類名】明細書
【補正対象項目名】０００９
【補正方法】変更
【補正の内容】
【０００９】
本発明は上記目的を達成するため、画像信号に基づく潜像が表面に形成される感光体と、放電によって前記感光体の表面を帯電する帯電手段と、前記感光体上に前記潜像を形成するために、前記帯電手段で帯電された感光体の表面に対して露光を行う露光手段とを備え、スタンバイモードと該スタンバイモードより消費電力が小さい省エネルギーモードの少なくとも２つの待機モードを有する画像形成装置において、前記感光体を温める発熱手段と、前記感光体と前記帯電手段との間を遮蔽するための遮蔽部材と、前記帯電手段と前記感光体との間を遮蔽する遮蔽位置、及び前記帯電手段と前記感光体との間を開放する退避位置に、前記遮蔽部材を移動する移動手段と、前記省エネルギーモードのときには、前記発熱手段をオフすると共に前記遮蔽部材が前記遮蔽位置に移動するように、前記発熱手段及び前記移動手段を制御する制御手段とを備えたことを特徴とする。
【手続補正３】
【補正対象書類名】明細書
【補正対象項目名】００１０
【補正方法】変更
【補正の内容】
【００１０】
また、本発明は、画像信号に基づく潜像が表面に形成される感光体と、放電によって前記感光体の表面を帯電する帯電手段と、前記感光体上に前記潜像を形成するために、前記帯電手段で帯電された感光体の表面に対して露光を行う露光手段とを備え、スタンバイモードと該スタンバイモードより消費電力が小さい省エネルギーモードの少なくとも２つの待機モードを有する画像形成装置の画像形成方法であって、前記感光体を温める発熱手段と、前記感光体と前記帯電手段との間を遮蔽するための遮蔽部材と、前記帯電手段と前記感光体との間を遮蔽する遮蔽位置及び前記帯電手段と前記感光体との間を開放する退避位置に、前記遮蔽部材を移動する移動手段とを予め設けておき、前記省エネルギーモードのときには、前記発熱手段をオフすると共に前記遮蔽部材が前記遮蔽位置に移動するように、前記発熱手段及び前記移動手段を制御することを特徴とする。
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
像担持体上の静電潜像を現像することによって得られる現像剤像を記録媒体に転写する転写手段と、
一対の回転体が接することで形成される定着ニップ部において、前記転写手段によって現像剤像が転写された前記記録媒体を挟持しながら搬送して該現像剤像を該記録媒体に定着する定着手段と、
前記転写手段と前記定着手段との両方で前記記録媒体を搬送している状態で、該転写手段と該定着手段の間で該記録媒体に形成されるループの量を検知するループ量検知手段と、
前記ループ量検知手段の検知結果に応じて前記定着ニップ部における前記記録媒体の搬送速度を切り替える制御手段と、
前記ループ量検知手段の検知結果に応じて前記定着ニップ部における前記記録媒体の搬送速度の状態を示す情報を記憶する記憶手段とを備え、
前記記憶手段に記憶された情報に基づいて前記制御手段が前記記録媒体の搬送速度を補正することを特徴とする画像形成装置。
【請求項２】
前記前記記録媒体の搬送速度の状態を示す情報とは、前記記録媒体の搬送速度を切り替えるタイミングに基づいた情報であることを特徴とする請求項１に記載の画像形成装置。
【請求項３】
前記ループ量検知手段は、前記記録媒体に接触して移動するフラグと、該記録媒体に形成されるループの量が所定の量に達したときに前記フラグを検知するセンサとを有することを特徴とする請求項１または２に記載の画像形成装置。
【請求項４】
前記ループ量検知手段は、前記記録媒体との距離を非接触で検知するセンサであることを特徴とする請求項１または２に記載の画像形成装置。
【請求項５】
前記定着手段は、前記現像剤像を前記記録媒体に定着するための加熱手段を有し、
前記制御手段は、前記定着手段の温度、及び、前記記録媒体の搬送方向の長さに基づいて該記録媒体の搬送速度の補正を行うか否かを決定することを特徴とする請求項１乃至４のいずれか一項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は電子写真方式により記録材に画像を形成する画像形成装置に関し、特に転写手段と定着手段間の記録材の搬送技術に関するものである。
【手続補正４】
【補正対象書類名】明細書
【補正対象項目名】００１２
【補正方法】変更
【補正の内容】
【００１２】
そこで本発明の目的は、転写部と定着器間では記録媒体に適切なループを形成しつつ、画像飛び散りの発生しない画像形成装置を提供することである。
【手続補正５】
【補正対象書類名】明細書
【補正対象項目名】００１３
【補正方法】変更
【補正の内容】
【００１３】
本発明に係る画像形成装置は、像担持体上の静電潜像を現像することによって得られる現像剤像を記録媒体に転写する転写手段と、一対の回転体が接することで形成される定着ニップ部において、前記転写手段によって現像剤像が転写された前記記録媒体を挟持しながら搬送して該現像剤像を該記録媒体に定着する定着手段と、前記転写手段と前記定着手段との両方で前記記録媒体を搬送している状態で、該転写手段と該定着手段の間で該記録媒体に形成されるループの量を検知するループ量検知手段と、前記ループ量検知手段の検知結果に応じて前記定着ニップ部における前記記録媒体の搬送速度を切り替える制御手段と、前記ループ量検知手段の検知結果に応じて前記定着ニップ部における前記記録媒体の搬送速度の状態を示す情報を記憶する記憶手段とを備え、前記記憶手段に記憶された情報に基づいて前記制御手段が前記記録媒体の搬送速度を補正することを特徴とする。
【手続補正６】
【補正対象書類名】明細書
【補正対象項目名】００１４
【補正方法】変更
【補正の内容】
【００１４】
本発明によれば、転写部と定着部間で記録媒体に適切なループを形成しつつ、画像飛び散りの発生しない画像形成装置を提供することができる。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
表示情報を記憶する情報記憶手段と、前記情報記憶手段に記憶された表示情報からなるメイン図を所定の縮尺で表示する表示手段と、指示を入力する入力手段と、前記入力手段により入力された任意点から所定領域の拡大図を生成し、前記メイン図上に前記拡大図を重畳表示する拡大図表示手段と、前記入力手段により入力された任意点の移動指示に応じて前記メイン図上の前記拡大図の表示位置を移動し、前記入力手段により入力された任意点の移動指示に応じた位置の拡大図を表示する拡大図移動手段を備え、前記メイン図上に広域の縮尺を考慮した制御を行う広域制御エリアと詳細の縮尺を考慮した制御を行う詳細制御エリアを設けたことを特徴とする情報表示装置。
【請求項２】
前記広域制御エリアで前記入力手段により前記拡大図の移動指示をする場合、前記入力手段により指示された任意点の移動距離は、前記メイン図の縮尺での移動距離であり、前記詳細制御エリアで前記入力手段により前記拡大図の移動指示をする場合、前記入力手段により指示された任意点の移動距離は、前記拡大図の縮尺での移動距離であることを特徴とする請求項１記載の情報表示装置。
【請求項３】
前記詳細制御エリアにおいて、前記入力手段による任意点の入力があった場合、前記拡大図移動手段は、前記拡大図の表示中心を前記任意点とするように前記メイン図上の前記拡大図の表示位置を移動し、前記任意点を表示中心とする位置の拡大図を表示することを特徴とする請求項１記載の情報表示装置。
【請求項４】
前記広域制御エリアは前記拡大図の外枠であり、前記詳細制御エリアは前記拡大図の内部であることを特徴とする請求項１に記載の情報表示装置。
【請求項５】
前記詳細制御エリアで前記入力手段により前記拡大図の移動指示をする場合に、前記拡大図の表示中心である第１の座標値と前記メイン図上に前記拡大図を表示するための第２の座標値が常に一致することを特徴とする請求項１に記載の情報表示装置。
【請求項６】
前記入力手段により所定の時間以上長押しされたかどうかを判定する長押し判定手段を有し、前記拡大図内において所定の時間以上長押しされたことを前記長押し判定手段により検知すると、前記メイン図の縮尺を前記拡大図の縮尺に変更して表示することを特徴とす
る請求項１に記載の情報表示装置。
【請求項７】
前記入力手段により所定の時間以上長押しされたかどうかを判定する長押し判定手段を有し、前記拡大図内において所定の時間以上長押しされたことを前記長押し判定手段により検知すると、前記メイン図の縮尺を前記拡大図の縮尺に変更して表示し、前記拡大図の縮尺を変更後の前記メイン図の縮尺より詳細な縮尺に変更することを特徴とする請求項１に記載の情報表示装置。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
立体地図の各構成ポリゴンを複数の平面に分割してセルを構築し該構成ポリゴンと関連付けて管理する手段と、
ユーザーからの解析指示に基づき解析指定位置を含む立体空間解析の解析パラメータを生成する手段と、
該解析パラメータに基づき解析対象となる該立体地図の該構成ポリゴンを特定してインデキシングした検索テーブルを構築する手段と、
上記検索テーブルに含まれる上記構成ポリゴンに関連付けられる該セルについて該検索テーブルを用いて立体空間解析を実行する手段と、
該立体空間解析の結果を該セルに関連付けて統合管理する手段と、
該立体空間解析結果を組み合わせて合成するための描画パラメータを管理する手段と、
該描画パラメータに基づき該立体空間解析結果を合成し、上記立体地図を合成して表示させる手段とを備えることを特徴とする立体空間解析装置。
【請求項２】
立体地図の各構成ポリゴンを複数の平面に分割してセルを構築し該構成ポリゴンと関連付けて管理し、
ユーザーからの解析指示に基づき解析指定位置を含む立体空間解析の解析パラメータを生成し、
該解析パラメータに基づき解析対象となる該立体地図の該構成ポリゴンを特定してインデキシングした検索テーブルを構築し、
上記検索テーブルに含まれる上記構成ポリゴンに関連付けられる該セルについて該検索テーブルを用いて立体空間解析を実行し、
該立体空間解析の結果を該セルに関連付けて統合管理し、
該立体空間解析結果を組み合わせて合成するための描画パラメータを管理し、
該描画パラメータに基づき該立体空間解析結果を合成し、
さらに該解析結果の合成出力と上記立体地図を合成して表示させる立体空間解析方法をコンピュータに実行させるためのプログラム。
【請求項３】
上記指定位置および上記解析パラメータの内容を示すシンボル情報を、上記立体地図上に合成表示させることを特徴とする請求項２記載のプログラム。
【請求項４】
上記表示させる立体空間解析結果に応じて、対応する上記シンボル情報を切り換えることを特徴とする請求項２又は３の何れかに記載のプログラム。
【請求項５】
上記立体地図に仮想的な図形を含み、該仮想図形についても上記セルを構築することを特徴とする請求項２乃至４の何れかに記載のプログラム。
【請求項６】
立体地図又は平面地図を表示手段に表示させ、上記ユーザーからの解析指示は上記表示される立体地図又は平面地図を介して受け付け、上記立体地図又は平面地図上に該立体空間解析結果を出力することを特徴とする請求項２乃至５の何れかに記載のプログラム。
【請求項７】
上記解析指示は点データまたは線データまたは面データまたは立体データの入力、または既存地図データの指定により指示されることを特徴とする請求項２乃至６の何れかに記載のプログラム。